(57)【要約】【課題】単票用紙と連続用紙を一台のプリンタにて印字を行なう際、先端にカールが発生した単票用紙に印刷を行うと、用紙先端部が連続用紙用のトラクタフィーダに当接し紙詰まりが発生してしまう。【解決手段】印字部と、印字部に向けて第一の用紙を搬送する第一の搬送路と、第一の搬送路に対して、角度を有して合流するとともに前記印字部に向けて前記第一の用紙の搬送方向とは異なる方向より第二の用紙を搬送する第二の搬送路と、第一の搬送路と第二の搬送路との合流位置近傍に設けられ、第二の用紙の当接により傾倒する可動用紙ガイドとを、プリンタ装置に設けた。【選択図】  図１
2014169169.tif 000002
【特許請求の範囲】
【請求項１】
印字部と、
前記印字部に向けて第一の用紙を搬送する第一の搬送路と、
前記第一の搬送路に対して、角度を有して合流するとともに前記印字部に向けて前記第一の用紙の搬送方向とは異なる方向より第二の用紙を搬送する第二の搬送路と、
前記第一の搬送路と前記第二の搬送路との合流位置近傍に設けられ、前記第二の用紙の当接により傾倒する可動用紙ガイドと、
を有したプリンタ装置。
【請求項２】
前記可動用紙ガイドは前記第一の用紙の搬送方向に付勢されている請求項１記載のプリンタ装置。
【請求項３】
前記第二の用紙の当接時以外は前記可動用紙ガイドの傾倒姿勢を維持するストッパを有した請求項１記載のプリンタ装置。
【請求項４】
前記ストッパは、前記第二の用紙を前記第二の搬送路に供給するフィーダである請求項３記載のプリンタ装置。
【請求項５】
前記ストッパは、前記第二の用紙を前記第二の搬送路に供給するフィーダの上面からの延伸部材である請求項３記載のプリンタ装置。
【発明の詳細な説明】
【技術分野】
【０００１】
本発明の実施形態は、プリンタ装置に関する。
【背景技術】
【０００２】
単票用紙と連続紙の双方に対して、一台で印字を行なうプリンタが知られている。このプリンタでは、単票用紙はプリンタの前面より挿入し、連続紙はプリンタ後方に設けられているトラクタフィーダを用いてプリンタ後方よりプリンタに挿入しそれぞれの用紙に対して印字を行なう。
【０００３】
単票用紙の搬送路と連続紙の搬送路は同一水平高さに設けられている為、単票用紙に印字を行なう際、用紙長の関係から単票用紙の先端部はトラクタフィーダまで到達する。その際搬送路が同一水平高さであるため単票用紙の先端部はトラクタフィーダに当接してしまう。これを防ぐ為にトラクタフィーダ近傍に用紙の搬送高さを変更させる可動式用紙ガイドを設けたもの、トラクタフィーダの用紙搬送路と単票用紙の用紙搬送路とに角度を持たせる様にトラクタフィーダを傾ける機構を設けたものが知られている。
【先行技術文献】
【特許文献】
【０００４】
【特許文献１】特開平１０−６５８５号公報
【発明の概要】
【発明が解決しようとする課題】
【０００５】
単票用紙、連続用紙の何れに印字するかを把握し、それに応じて可動式ガイドやトラクタフィーダを傾ける機構を採用した場合、機構が複雑となりプリンタ自体が大きくなる。またトラクタフィーダの用紙搬送路と単票用紙の用紙搬送路とに角度を持たせる様にトラクタフィーダを固定とした場合においても、先端にカールが発生した単票用紙を使用した場合はトラクタフィーダに単票用紙の先端が当接し紙詰まりが発生してしまう。
【０００６】
本発明は先端にカールが発生した単票用紙でも使用が可能なプリンタ装置を提供する。
【課題を解決するための手段】
【０００７】
一形態のプリンタ装置は、印字部と、印字部に向けて第一の用紙を搬送する第一の搬送路と、第一の搬送路に対して、角度を有して合流するとともに印字部に向けて第一の用紙の搬送方向とは異なる方向より第二の用紙を搬送する第二の搬送路と、第一の搬送路と第二の搬送路との合流位置近傍に設けられ、第二の用紙の当接により傾倒する可動用紙ガイドとを有するプリンタ装置である。
【図面の簡単な説明】
【０００８】
【図１】本発明の第１の実施形態に係るプリンタ装置の構造図。
【図２】本発明の第１の実施形態に係るプリンタ装置の制御回路構成を示すブロック図。
【図３】本発明の第１の実施形態に係る可動用紙ガイドの姿勢を示す構造図。
【図４】本発明の第１の実施形態に係る単票用紙印字時における可動用紙ガイドの姿勢を示す構造図。
【図５】従来の実施形態に係る不具合説明構造図。
【図６】本発明の第２の実施形態に係る可動用紙ガイドとストッパの関係を示す構造図。
【図７】本発明の第３の実施形態に係る可動用紙ガイドとストッパの関係を示す構造図。
【発明を実施するための形態】
【０００９】
以下に本発明の一実施形態にかかるプリンタ装置を図面を参照して詳細に説明する。
【００１０】
（第１の実施形態）
以下、本発明の実施形態について図面を用いて詳細に説明する。なお本実施形態にて説明するプリンタ装置は、図１において、用紙種類によって左から右へ搬送する用紙と右から左へ搬送する用紙が存在するが、構成部品の位置関係等を明確にする為に便宜上用紙の搬送方向に関係なく図１の左側を上流側、右側を下流側として説明する。
【００１１】
図１はプリンタ装置１０の要部構成を示している。
【００１２】
プリンタ装置１０の前面１１には開口部１２が設けられており、この開口部１２には手差しトレイ１３が開閉自在に設けられている。
【００１３】
プリンタ装置１０の開口部１２からプリンタ装置１０の下流側に向かって、搬送上ガイド１４と搬送下ガイド１５が延伸して設けられており、搬送上ガイド１４と搬送下ガイド１５との間を用紙搬送路１６として印字される単票用紙２８および連続用紙２９が搬送される。
【００１４】
開口部１２の用紙搬送方向下流側には図示しないモータによって回転可能となっているフィードローラ１７と、このフィードローラ１７に対し用紙搬送路１６を挟んでアイドラローラ１８が対向配置されており、フィードローラ１７とアイドラローラ１８の挟持により単票用紙２８および連続用紙２９は搬送される。
【００１５】
フィードローラ１７の下流側にはドットインパクトヘッド１９と、このドットインパクトヘッド１９に対し用紙搬送路１６を挟んでプラテンローラ２０が対向配置されており、ドットインパクトヘッド１９と図示しないインクリボンとプラテンローラ２０とで印字部２１を構成している。
【００１６】
プリンタ装置１０の背面２２には、トラクタフィーダ２３が設けられている。このトラクタフィーダ２３は、ファンフォールド紙と呼ばれる連続用紙２９をプリンタ装置１０の用紙搬送路１６に向け搬送させる。
【００１７】
またトラクタフィーダ２３の上流側には回動軸２５を回動中心として可動用紙ガイド２４が設けられており、スプリング２６にて後述する単票印字位置に付勢されている。
【００１８】
またプリンタ装置１０の前面１１の上方には、プリンタ装置１０の紙詰まりや紙切れのエラー情報を含めた各種情報を表示する表示部２７が設けられている。
【００１９】
図２に、上述したプリンタ装置１０の制御部５０を示している。制御部５０は、単票用紙２８および連続用紙２９の搬送、単票用紙２８および連続用紙２９への印刷、単票用紙２８および連続用紙２９の排出、プリンタの状況表示の各制御をおこなう手段を有している。
【００２０】
制御部５０は、ホストコンピュータ５１との連係および各種の制御の実行をおこなう、例えば、マイクロコンピュータで構成されている。制御部５０の中央処理装置（ＭＰＵ）５２は、プログラムに従って用紙の搬送制御、印刷制御、用紙の排出制御、プリンタの状況表示制御等をおこなう。ＭＰＵ５２は、時間設定および時間制御をおこなう手段としてタイマ５３を備えている。
【００２１】
また、制御部５０には、ＭＰＵ５２で実行する制御プログラムや制御または演算途上のデータ等を格納する主記憶手段としてＲＯＭ５４およびＲＡＭ５５が設置されている。ＲＯＭ５４は制御プログラム等を持つ読出し専用メモリであり、ＲＡＭ５５は演算途上のデータ等を格納する随時書込みメモリである。
【００２２】
また、制御部５０には、ホストコンピュータ５１からの各種の入力データの取込みや、ホストコンピュータ５１への制御部５０の制御出力をおこなう入出力ユニット（Ｉ／Ｏ）５６が設けられている。Ｉ／Ｏ５６は、ＭＰＵ５２、ＲＯＭ５４およびＲＡＭ５５とがバスを通じて連係されている。
【００２３】
また、Ｉ／Ｏ５６には、制御出力を取り出す為の手段として、第１、第２、第３および第４のドライバ５７、５８、５９、６０が接続されている。
【００２４】
ドライバ５７は印字部２１へ必要な駆動出力を供給する。ドライバ５８はフィードローラ１７への駆動出力を供給する。ドライバ５９はトラクタフィーダ２３への駆動出力を供給する。ドライバ６０は表示部２７に、各種表示をおこなわせる表示駆動出力を供給する。
【００２５】
以下図３乃至図５を用いて、本実施形態の印字について説明する。
【００２６】
（単票用紙２８への印字）
ホストコンピュータ５１よりプリンタ装置１０に対して印字データが送信される。この印字データと一緒にプリンタ装置１０に対して単票用紙２８への印字であるとのコマンドが送信される。この為プリンタ装置１０は印字データを受信しても単票用紙２８が挿入されるまで印字を開始しない。
【００２７】
プリンタ装置１０のオペレータは、単票用紙２８を手差しトレイ１３に乗せ、プリンタ装置１０の前面１１に設けられている開口部１２よりフィードローラ１７とアイドラローラ１８との接触している部分に当接するまで挿入する。
【００２８】
プリンタ装置１０のフィードローラ１７の近傍には図示しない用紙センサが設けられている。この用紙センサは、単票用紙２８がフィードローラ１７とアイドラローラ１８との接触している部分に当接した位置まで挿入された事を検知するものであり、単票用紙２８が挿入されたと検知すると、制御部５０はドライバ５８を介してフィードローラ１７に対して単票用紙２８を下流側に向けて搬送する方向に回転するように指示を出す。この指示によりフィードローラ１７は回転し、フィードローラ１８との協働にて単票用紙２８を下流方向に搬送する。
【００２９】
下流方向に搬送された単票用紙２８は、その後印字部２１にて印字される。その後印字部２１と可動用紙ガイド２４の間に設けられている図示しないフィードローラとアイドラローラの協働により可動用紙ガイド２４に向け搬送される。
【００３０】
単票用紙２８は、開口部１２より挿入され水平方向に用紙搬送路１６を搬送する。また連続用紙２９は、単票用紙２８の用紙搬送路１６と角度を持たせる様に設けられているトラクタフィーダ２３にてプリンタ装置１０の背面２２側より用紙搬送路１６に向けて設けられている第二の搬送路３０上を搬送される。用紙搬送路１６と、第二の搬送路３０とが合流する位置に可動用紙ガイド２４が設けられている。
【００３１】
この可動用紙ガイド２４は単票用紙２８の搬送時と連続用紙２９の搬送時ではその姿勢が変わる様になっている。
【００３２】
可動用紙ガイド２４は略Ｌ型の形状をしており、回動軸２５を回動中心として図３に示すＸおよびＹ方向に回動可能となっている。また可動用紙ガイド２４の下端部と図示しないフレームと間にはスプリング２６が設けられており、このスプリング２６により可動用紙ガイド２４はＸ方向に回動する様付勢されているが、ストッパ３１により図３に破線にて示す姿勢を維持する様になっている。この姿勢では可動用紙ガイド２４の上面と用紙搬送路１６における搬送面の高さはほぼ同一となっている。
【００３３】
印字部２１にて印字され用紙搬送路１６を搬送された単票用紙２８と可動用紙ガイド２４との間にて摩擦力が発生する。しかしこの摩擦力は可動用紙ガイド２４をＸ方向に回動させる力である。また前述の様にスプリング２６にて可動用紙ガイド２４をＸ方向に回動させている。従って可動用紙ガイド２４は図４の破線にて示す姿勢を維持するため単票用紙２８の先端がトラクタフィーダに当接する事はない。
【００３４】
印字が完了した単票用紙２８はその後印字部２１と可動用紙ガイド２４の間に設けられている図示しないフィードローラとアイドラローラの協働により開口部１２に向け、単票用紙２８をプリンタ装置１０へ挿入した方向とは逆の方向へ搬送され、開口部１２よりプリンタ装置１０の外部へ排出される。
【００３５】
仮に本実施形態に示す可動用紙ガイド２４がない場合は、図５に示す様に単票用紙２８の先端はトラクタフィーダ２３に当接する事となり紙詰まりが発生する。単票用紙２８のコシが強く仮に曲がらず図５のＡ点を単票用紙２８の先端が乗り越える事が出来る場合は良いが、用紙に巻き癖であるカールが発生している場合はＡ点を乗り越える事は出来ない。
【００３６】
（連続用紙２９の印字）
ホストコンピュータ５１よりプリンタ装置１０に対して印字データが送信される。この印字データと一緒にプリンタ装置１０に対して連続用紙２９への印字であるとのコマンドが送信される。
【００３７】
連続用紙２９の両側には図示しないスプロケットホールと呼ばれる穴が設けられており、またトラクタフィーダ２３にはこのスプロケットホールに引っかける突起が設けられており、トラクタフィーダ２３は図示しないベルトを回転させる事で突起を回転させ、この突起が引っかかっているスプロケットホールが設けられている連続用紙２９が搬送される。
【００３８】
プリンタ装置１０は図示しないセンサにて連続用紙２９がトラクタフィーダ２３にセットされているかの確認および図示しないセンサにて用紙搬送路１６上に単票用紙２８がないかを確認し、いずれも確認したのち、トラクタフィーダ２３を駆動させ、連続用紙２９を印字部２１に向け搬送させる。
【００３９】
前述の様に、印字を実施していない場合はスプリング２６により可動用紙ガイド２４は図３に示す破線の姿勢を維持している。しかしながらトラクタフィーダ２３により搬送された連続用紙２９はその先端が可動用紙ガイド２４に当接する。
【００４０】
印字を実施していない場合においては、スプリング２６は可動ガイド２４の姿勢を図１の破線の位置で維持させているが、そのスプリング２６の力は、連続用紙２９の先端が当接した場合は図３のＹ方向に回動する様に設定されている。図１に実線にて示す可動用紙ガイド２４は、連続用紙２９の先端が当接した場合である。
【００４１】
図１に示す様に可動用紙ガイド２４は連続用紙２９が当接したことにより回動する為、連続用紙２９の搬送においては搬送路上に何ら搬送の障害となるものは存在しない。
【００４２】
その後連続用紙２９は印字部２１にて所定の印字がされると、さらに開口部１２に向け搬送される。開口部１２より所定の印字がされた部分がプリンタ装置１０の外部に出た位置で連続用紙２９の搬送は停止する。その後連続用紙２９に設けられているミシン目にてオペレータは連続用紙２９を切断し、その後連続用紙２９を次の印字に備えトラクタフィーダ２３を稼働させ所定の位置までプリンタ装置１０の背面２２側へ搬送する。
【００４３】
以上説明した様に、プリンタ装置１０の前面から挿入された単票用紙２８に印字を行なう場合は可動用紙ガイド２４は傾倒せず、単票用紙２８の先端部がトラクタフィーダ２３に当接するのを防ぐ。また連続用紙２９に印字を行なう場合は連続用紙２９の先端が当接する事で搬送路上より退避する様可動用紙ガイド２４が傾倒する為連続用紙２９の搬送に悪影響を及ぼさない。
【００４４】
（第２の実施形態）
図６に第２の実施形態を示す。第２の実施形態では、印字を行なっていない場合および単票用紙２８を印字の際における可動用紙ガイド２４の姿勢を維持する為のストッパはトラクタフィーダ２３の上面としている。
【００４５】
単票用紙２８には色々な種類があり保管状態によっては大きくカールしている場合もある。その様な状態の単票用紙２８に印字を行なった場合、可動用紙ガイド２４を通過後、その先端が図４のＡ点と可動用紙ガイド２４との間に入り込む事となる。その様な場合は紙詰まりが発生する。
【００４６】
これを防ぐ為に、印字を行なっていない場合および単票用紙２８に印字の際における可動用紙ガイド２４の姿勢を維持する為のストッパはトラクタフィーダ２３の上面とした。これにより仮に大きくカールしている単票用紙２８に印字を行なっても、Ａ点と可動用紙ガイド２４との間に隙間が存在しないため単票用紙２８の先端が図４のＡ点と可動用紙ガイド２４との間に入り込む事は発生しない。よって大きくカールしている単票用紙２８に印字をおこなっても紙詰まりが発生するのを防ぐことが出来る。
【００４７】
（第３の実施形態）
図７に第３の実施形態を示す。第３の実施形態では、印字を行なっていない場合および単票用紙２８に印字の際における可動用紙ガイド２４の姿勢を維持する為のストッパはトラクタフィーダ２３の上面を延伸した延伸部材３２としている。
【００４８】
第３の実施形態は、第２の実施形態にて述べた場合と同じく、大きくカールした単票用紙２８であっても、印字を行なっていない場合および単票用紙２８に印字する場合における可動用紙ガイド２４の姿勢を維持する為のストッパをトラクタフィーダ２３の上面を延伸した部材とした為に、Ａ点と可動用紙ガイド２４との間に隙間が存在しない。この為単票用紙２８の先端が図４のＡ点と可動用紙ガイド２４との間に入り込む事は発生はせず、大きくカールしている単票用紙２８に印字をおこなっても紙詰まりが発生するのを防ぐことが出来る。
【００４９】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００５０】
１０・・プリンタ装置
１６・・第一の搬送路
２１・・印字部
２３・・トラクタフィーダ
２４・・可動用紙ガイド
２６・・スプリング
２８・・単票用紙
２９・・連続用紙
３０・・第二の搬送路
３１・・ストッパ
３２・・延伸部材
【図１】
2014169169.tif 000003
【図２】
2014169169.tif 000004
【図３】
2014169169.tif 000005
【図４】
2014169169.tif 000006
【図５】
2014169169.tif 000007
【図６】
2014169169.tif 000008
【図７】
2014169169.tif 000009